(57)【要約】【課題】睡眠診断を簡易に受けることができ、且つ、被験者の睡眠状態に専門的病状の疑いがある場合に、医師による診断を受け得る睡眠診断システムを提供する。【解決手段】被験者から受信した計測データは、データ加工処理部１０４、睡眠深度推定処理部１０５および簡易診断処理部１０６により所定の睡眠タイプに分類される。そして、分類された睡眠タイプが専門的病状の睡眠タイプに該当するかが品断要否判定処理部１０７により判定され、これに該当する場合、データ加工処理部１０４、睡眠深度推定処理部１０５および簡易診断処理部１０６における処理データが、診断要求と共に、通信処理部１０１から医師端末に送信される。これに応答して診断結果を医師端末から受信すると、この診断結果と上記睡眠タイプを組み込んだ診断結果表示画面が作成され、これが被験者端末に送信される。【選択図】        図２
2004344265.tif 000002
【特許請求の範囲】
【請求項１】
被験者の計測データを被験者側端末からネットワークを介して受信する計測データ受信手段と、
受信した計測データに基づき睡眠診断処理を実行する診断処理手段と、
前記診断処理手段による処理データおよび／もしくは前記計測データに基づいて医師による診断の要否を判別する診断要否判別手段と、
前記診断要否判別手段によって診断が必要と判別された場合に、当該被験者の睡眠に関するデータをネットワークを介して医師側端末に送信する医師側端末送信手段と、
前記データの送信に応じて受信した診断結果に関するデータおよび／もしくは前記診断処理手段による処理結果に基づいて被験者側端末に診断結果を提供する診断結果提供手段と、
を有することを特徴とする睡眠診断支援サーバ。
【請求項２】
請求項１において、
前記診断結果に関するデータは、当該被験者に対する質問に関するデータとその回答結果に応じて予め準備された診断結果に関するデータを含み、
前記診断結果提供手段は、当該被験者に対し前記質問が設定されている場合、対応する質問を前記被験者側端末に提供し、その回答結果に応じて、当該被験者に対する医師からの診断結果を決定する、
ことを特徴とする睡眠診断支援サーバ。
【請求項３】
被験者の計測データを被験者側端末からネットワークを介して受信する計測データ受信手段と、
受信した計測データに基づき睡眠診断処理を実行する診断処理手段と、
前記診断処理手段による処理データおよび／もしくは前記計測データに基づいて専門病状に該当するか否かを判別する専門病状判別手段と、
前記専門病状判別手段による判別結果および／もしくは前記診断処理手段による処理結果に基づいて被験者側端末に診断結果を提供する診断結果提供手段と、を有することを特徴とする睡眠診断支援サーバ。
【請求項４】
請求項３において、
当該睡眠診断支援サーバは、さらに、
前記診断処理手段による処理結果に応じて医師による診断結果を予め分類して記憶する診断結果記憶手段を備え、
前記診断結果提供手段は、前記専門病状判別手段によって専門病状に該当すると判別されたとき、前記診断処理手段による処理結果に対応する診断結果を前記診断結果記憶手段から読み出し、この診断結果またはこの診断結果と前記診断処理手段による処理結果に基づいて、被験者側端末に診断結果を提供する、
ことを特徴とする睡眠診断支援サーバ。
【請求項５】
請求項４において、
前記診断結果記憶手段に記憶されているデータは、前記診断結果を導き出すに必要な質問に関するデータを含み、
前記診断結果提供手段は、当該被験者に対し前記質問が設定されている場合、対応する質問を前記被験者側端末に提供し、その回答結果に応じて、当該被験者に対する医師からの診断結果を決定する、
ことを特徴とする睡眠診断支援サーバ。
【請求項６】
請求項１ないし５の何れかにおいて、
前記診断結果提供手段によって提供される診断結果は、睡眠タイプ、医師による診断結果および／もしくは睡眠に関するアドバイスを含む、
ことを特徴とする睡眠診断支援サーバ。
【請求項７】
請求項１ないし６の何れかにおいて、
当該睡眠診断支援サーバは、さらに、
睡眠支援機器および／もしくは睡眠支援薬品に関するデータを提供者側端末からネットワークを介して受信する支援データ受信手段と、
前記診断処理手段による処理結果に応じて前記睡眠支援機器および／もしくは睡眠支援薬品を分類して記憶する支援データ記憶手段とを備え、
前記診断結果提供手段は、前記診断処理手段による処理結果に対応する前記睡眠支援機器および／もしくは睡眠支援薬品に関する情報を被験者側端末に提供する、
ことを特徴とする睡眠診断支援サーバ。
【請求項８】
請求項７において、
前記支援データ記憶手段は、前記睡眠支援機器および／もしくは睡眠支援薬品を提供者毎に分類して記憶し、
前記診断結果提供手段は、前記睡眠支援機器および／もしくは睡眠支援薬品の購入の問い合わせを被験者側端末に提供し、
当該睡眠診断支援サーバは、さらに、
前記問い合わせ対する購入希望の返信を受信したことに応じて、当該購入希望の睡眠支援機器および／もしくは睡眠支援薬品を当該被験者に販売するための発注書に関するデータを、ネットワークを介して、対応する提供者側端末に送信する提供者側端末送信手段を備える、
ことを特徴とする睡眠診断支援サーバ。
【請求項９】
上記請求項１ないし請求項７の何れかに記載された睡眠診断支援サーバの機能をコンピュータに付与するプログラム。
【発明の詳細な説明】
【０００１】
【発明の属する技術分野】
本発明は、睡眠診断支援サーバに関し、特に、インターネット等のネットワークを介して被験者に睡眠診断結果および睡眠アドバイスを提供する睡眠支援システムに用いて好適なものである。
【０００２】
【従来の技術】
これまでの睡眠の診断は、たとえば図２０に示す睡眠深度のグラフを専門医師が参照・分析することにより行われるのが一般的であった。
【０００３】
同図のグラフは、被験者の一日の睡眠状態をデータ化したものであり、横軸は入床後の経過時間、縦軸は睡眠深度である。ここで、睡眠深度のレベルは、たとえば図示の如く、覚醒状態（Ｗ）、ＲＥＭ（Ｒｏｕｎｄ  Ｅｙｅ  Ｍｏｖｉｎｇ）状態（Ｒ）の他、眠りの深さに応じた４段階のレベルが設定される。なお、同図のデータは、通常、被験者に計測機器を装着して脳波、心拍、呼吸、皮膚温度等を計測し、この計測データを既存のポリグラフ法を用いて処理することにより算出される。この他、出願人が学校法人立命館と共同で出願した以下の特許文献１の手法を採用すれば、被験者の睡眠深度を無拘束且つ高精度に推定することもできる。
【０００４】
【特許文献１】
特願２００２−２５１３９４号
【０００５】
【発明が解決しようとする課題】
このように、従来の睡眠診断は、医師が睡眠深度データを検討・分析することにより行われていたが、かかる手法によれば、被験者が病院に出向く等の手間が必要となるため、多少の不具合を自覚したような場合には、なかなか利用し難いものであった。しかし、近年の高齢化・高ストレス化社会の進行に伴って睡眠の問題が深刻化しており、このような状況下では、早期の段階から手軽に診断を受け得るシステムの構築が望まれる。
【０００６】
他方、睡眠診断手法を知識データベースとして格納した睡眠診断装置を利用することにより、医師にかかることなく手軽に睡眠診断を受けることが可能となるが、睡眠診断には高度の専門性が要求されるため、かかる睡眠診断装置にて信頼性の高い診断結果を全ての被験者に一律に提供するのには自ずと限界が生じる。特に、被験者が専門的病状にある場合に、定型化した診断結果を安易に提供すると、却って被験者の病状を進行させる結果ともなり兼ねず、利便性を追求したシステムによって却って公益が害されてしまうとの問題が起こり得る。
【０００７】
そこで、本発明は、睡眠診断を簡易・迅速に受けることができ、且つ、被験者の睡眠状態に専門的病状の疑いがある場合には、専門的医師による細やかな診断を適切に受け得る睡眠診断システムを提供することを課題とする。加えて、睡眠診断の結果に応じた睡眠支援を被験者に提供し、同時に、睡眠支援に関するビジネスの拡張を図ることを課題とする。
【０００８】
【課題を解決するための手段】
本発明は、インターネット等のネットワークを用いて被験者の睡眠計測データを収集すると共に収集した睡眠計測データを処理して当該被験者の睡眠診断を行い、この診断結果を当該被験者に提供するものである。この際、当該被験者が専門的病状にあるか等、医師による診断の要否を判別し、医師による診断が必要である場合には、予め提携した医師による診断を、ネットワーク経由による医師の診断または被験者に対する医師の紹介により、適切に受け得るようにするものである。さらに、被験者の診断結果に応じて、快眠サプリメントや快眠機器等の商品を被験者に提示するものである。
【０００９】
各請求項に記載の発明は、それぞれ以下の特徴を有する。
【００１０】
請求項１の発明は、睡眠診断支援サーバに関するものであって、被験者の計測データを被験者側端末からネットワークを介して受信する計測データ受信手段と、受信した計測データに基づき睡眠診断処理を実行する診断処理手段と、前記診断処理手段による処理データおよび／もしくは前記計測データに基づいて医師による診断の要否を判別する診断要否判別手段と、前記診断要否判別手段によって診断が必要と判別された場合に、当該被験者の睡眠に関するデータをネットワークを介して医師側端末に送信する医師側端末送信手段と、前記データの送信に応じて受信した診断結果に関するデータおよび／もしくは前記診断処理手段による処理結果に基づいて被験者側端末に診断結果を提供する診断結果提供手段とを有することを特徴とする。
【００１１】
請求項２の発明は、請求項１に記載の睡眠支援サーバにおいて、前記診断結果に関するデータは、当該被験者に対する質問に関するデータとその回答結果に応じて予め準備された診断結果に関するデータを含み、前記診断結果提供手段は、当該被験者に対し前記質問が設定されている場合、対応する質問を前記被験者側端末に提供し、その回答結果に応じて、当該被験者に対する医師からの診断結果を決定することを特徴とする。
【００１２】
請求項３の発明は、睡眠支援サーバに関するものであって、被験者の計測データを被験者側端末からネットワークを介して受信する計測データ受信手段と、受信した計測データに基づき睡眠診断処理を実行する診断処理手段と、前記診断処理手段による処理データおよび／もしくは前記計測データに基づいて専門病状に該当するか否かを判別する専門病状判別手段と、前記専門病状判別手段による判別結果および／もしくは前記診断処理手段による処理結果に基づいて被験者側端末に診断結果を提供する診断結果提供手段とを有することを特徴とする。
【００１３】
請求項４の発明は、請求項３に記載の睡眠支援サーバにおいて、さらに、前記診断処理手段による処理結果に応じて医師による診断結果を予め分類して記憶する診断結果記憶手段を備え、前記診断結果提供手段は、前記専門病状判別手段によって専門病状に該当すると判別されたとき、前記診断処理手段による処理結果に対応する診断結果を前記診断結果記憶手段から読み出し、この診断結果またはこの診断結果と前記診断処理手段による処理結果に基づいて、被験者側端末に診断結果を提供することを特徴とする。
【００１４】
請求項５の発明は、請求項４に記載の睡眠支援サーバにおいて、前記診断結果記憶手段に記憶されているデータは、前記診断結果を導き出すに必要な質問に関するデータを含み、前記診断結果提供手段は、当該被験者に対し前記質問が設定されている場合、対応する質問を前記被験者側端末に提供し、その回答結果に応じて、当該被験者に対する医師からの診断結果を決定することを特徴とする。
【００１５】
請求項６の発明は、請求項１ないし５の何れか一つに記載の睡眠支援サーバにおいて、前記診断結果提供手段によって提供される診断結果は、睡眠タイプ、医師による診断結果および／もしくは睡眠に関するアドバイスを含むことを特徴とする。
【００１６】
請求項７の発明は、請求項１ないし６の何れか一つに記載の睡眠支援サーバにおいて、さらに、睡眠支援機器および／もしくは睡眠支援薬品に関するデータを提供者側端末からネットワークを介して受信する支援データ受信手段と、前記診断処理手段による処理結果に応じて前記睡眠支援機器および／もしくは睡眠支援薬品を分類して記憶する支援データ記憶手段とを備え、前記診断結果提供手段は、前記診断処理手段による処理結果に対応する前記睡眠支援機器および／もしくは睡眠支援薬品に関する情報を被験者側端末に提供することを特徴とする。
【００１７】
請求項８の発明は、請求項７に記載の睡眠支援サーバにおいて、前記支援データ記憶手段は、前記睡眠支援機器および／もしくは睡眠支援薬品を提供者毎に分類して記憶し、前記診断結果提供手段は、前記睡眠支援機器および／もしくは睡眠支援薬品の購入の問い合わせを被験者側端末に提供し、当該睡眠診断支援サーバは、さらに、前記問い合わせ対する購入希望の返信を受信したことに応じて、当該購入希望の睡眠支援機器および／もしくは睡眠支援薬品を当該被験者に販売するための発注書に関するデータを、ネットワークを介して、対応する提供者側端末に送信する提供者側端末送信手段を備えることを特徴とする。
【００１８】
請求項９の発明は、上記請求項１ないし請求項７の何れかに記載された睡眠診断支援サーバの機能をコンピュータに付与するプログラムである。
【００１９】
本発明の特徴は、以下に示す実施の形態の説明により更に明らかとなろう。
ただし、以下の実施の形態は、あくまでも本発明の一つの実施形態であって、本発明ないし各構成要件の用語の意義は、以下の実施の形態に記載されたものに制限されるものではない。
【００２０】
【発明の実施の形態】
以下、本発明の実施の形態につき図面を参照して説明する。
【００２１】
まず、図１に実施の形態に係る睡眠支援システムの構成を示す。図示のとおり、睡眠支援システムは、サーバ装置１００と、医師端末２００と、薬局端末３００と、メーカ端末４００と、被験者端末５０２が、インターネットに接続される形態にて構成されている。
【００２２】
サーバ装置１００は、インターネットを介して被験者端末５０２から計測データを受信すると共に、受信した計測データをもとに睡眠の簡易診断を行う。また、医師による診断が必要であるかを判別し、必要と判断した場合には、当該被験者の睡眠に関するデータを付加した診断要求を、インターネットを介して医師端末２００に送信する。そして、医師から返信された診断結果と、上記簡易診断による診断結果の両方を含む表示画面を生成し、当該表示画面のＵＲＬを、インターネットを介して被験者端末５０２に送信する。
【００２３】
さらに、かかるサーバ装置１００は、薬局端末３００およびメーカ端末４００からインターネットを介して、快眠サプリメントおよび快眠機器のラインナップ情報を逐次受信し、受信したラインナップ情報を、上記簡易診断結果（睡眠タイプ）に応じて分類して、データベースに記憶する。
【００２４】
なお、被験者に提供される上記表示画面には、快眠サプリメントおよび快眠機器を購入するためのアイコンが含まれており、このアイコンが被験者によってクリックされると、サーバ装置１００は、当該簡易診断結果に応じた快眠サプリメントおよび快眠機器を上記データベースから抽出し、抽出した快眠サプリメントおよび快眠機器を選択候補として、被験者側に提供する。被験者がこのうち何れかを選択して購入手続を進めると、薬局端末３００またはメーカ端末４００に対して当該商品の発注書が送信される。
【００２５】
なお、かかるサーバ装置１００の詳細については追って説明する。
【００２６】
医師端末２００は、インターネットを介して被験者の睡眠に関するデータをサーバ装置１００から受信すると共に、当該データをもとに診断した医師の診断結果に関するデータをサーバ装置１００に送信する。ここで、医師は、睡眠診断を行うに追加の質問が必要であると判断した場合、追加の質問とその回答結果に応じた診断結果を、医師端末２００からサーバ装置１００に送信する。
【００２７】
なお、診断結果および追加質問の送信は、サーバ装置１００から提供された入力画面に医師が必要情報を入力することにより行われる。かかる入力画面は、上記被験者の睡眠に関するデータが送信される際に、サーバ装置１００から医師端末２００に送信される。
【００２８】
薬局端末３００は、快眠薬品・サプリメントのラインナップデータを、インターネットを介してサーバ装置１００に送信する。ラインナップデータの送信は、サーバ装置１００へのアクセス時に薬局端末３００に提供される入力画面に対して必要情報を入力することにより行われる。なお、かかる入力画面には、登録すべき薬局・サプリメントに関する情報（名称、金額、効能、等）の入力項目と、当該薬局・サプリメントが使用されるべき簡易診断結果（睡眠タイプ）を特定するための入力項目が準備されている。
【００２９】
また、薬局端末３００は、薬品・サプリメントの発注書を、サーバ装置１００から受信する。かかる発注処理については、追って詳述する。
【００３０】
メーカ端末４００は、快眠機器のラインナップデータを、インターネットを介してサーバ装置１００に送信する。ラインナップデータの送信は、サーバ装置１００へのアクセス時にメーカ端末４００に提供される入力画面に対して必要情報を入力することにより行われる。なお、かかる入力画面には、登録すべき快眠機器に関する情報（名称、金額、効能、等）の入力項目と、当該快眠機器が使用されるべき簡易診断結果（睡眠タイプ）を特定するための入力項目が準備されている。
【００３１】
また、メーカ端末４００は、快眠機器の発注書を、サーバ装置１００から受信する。かかる発注処理については追って詳述する。
【００３２】
被験者端末５０２は、被験者の睡眠状態を計測する計測装置５０１からの計測データを、インターネットを介してサーバ装置１００に送信する。また、当該被験者の睡眠診断結果を表示する表示画面のＵＲＬを、インターネットを介してサーバ装置１００から受信する。被験者は、当該ＵＲＬにアクセスすることにより、診断結果を見ることができる。
【００３３】
ＵＲＬへのアクセスは、予めサーバ装置１００に登録された携帯端末（たとえば被験者所有の携帯電話機等）５０３によっても行うこともできる。なお、計測装置５０１としては、たとえば、上記特許文献１の手法を採用した無拘束計測装置を用いることができる。また、かかる計測装置５０１にインターネット通信機能および表示機能を付加すれば、被験者端末５０２を省略することもできる。
【００３４】
図２に、上記サーバ装置１００の機能ブロック図を示す。
【００３５】
通信処理部１０１は、インターネットを介した通信処理を実行する。表示・通知作成処理部１０２は、診断結果を表示する表示画面の作成や、この表示画面のＵＲＬを通知するための通知文の作成等を行う。顧客確認処理部１０３は、ユーザ登録ＤＢ１１３を参照して、アクセス元端末（被験者端末５０２、携帯端末５０３、医師端末２００、薬局端末３００、メーカ端末４００）の適否を判別する。
【００３６】
データ加工処理部１０４は、睡眠時生理データＤＢ１１４に格納された被験者の計測データを処理して心拍数、呼吸数、体動等のデータを算出し、これを算出ＤＢ１１５に格納する。睡眠深度推定処理部１０５は、算出された心拍数、呼吸数、体動等のデータから睡眠深度データを算出し、これを算出ＤＢ１１５に格納する。なお、かかる睡眠深度データの算出には上記特許文献１の手法を採用できる。
【００３７】
簡易診断処理部１０６は、簡易診断判断基準ＤＢに格納された診断規則に従って睡眠深度データを処理することにより簡易診断結果（睡眠タイプ）を求め、これを簡易診断結果ＤＢ１１７に格納する。なお、かかる簡易診断処理の詳細については、追って詳述する。
【００３８】
診断要否判定処理部１０７は、簡易診断処理部１０６による診断結果から、医師による診断の要否を判別する。追加質問処理部１０８は、上記医師端末２００からの返信データに追加質問が含まれている場合にこれを抽出して追加質問ＤＢ１１８に格納する。診断結果判断処理部１０９は、上記医師端末２００からの返信データに含まれている診断結果を抽出して医師診断結果ＤＢ１１９に格納すると共に、追加質問に対する被験者側からの回答に応じた診断結果を、後述の如く生成する。
【００３９】
快眠支援機器ＤＢ１１０は、上記メーカ端末４００から受信した快眠支援機器のラインナップ情報を、メーカＩＤと共に、睡眠パターン（簡易診断処理部１０６における処理結果）毎に区分して記憶する（図３（ａ）参照）。大衆薬・サプリメントＤＢ１１１は、上記薬局端末３００から受信した快眠支援薬品・サプリメントのラインナップ情報を、メーカＩＤと共に、睡眠パターン毎に区分して記憶する（図３（ｂ）参照）。
【００４０】
睡眠アドバイスＤＢ１１２は、予め準備された睡眠に関するアドバイスを睡眠パターン毎に区分して記憶する。ユーザ登録ＤＢ１１３は、本システムに加入登録した顧客（被験者）、医師、薬局、メーカの通信アドレスを、加入登録時に付与されたＩＤに対応付けて記憶する。ここで、各ユーザがメインの通信アドレスの他、サブの通信アドレス（たとえば、携帯端末５０３の通信アドレス）を登録した場合には、同一のＩＤに対してメインとサブの通信アドレスが対応付けられる。
【００４１】
睡眠時生理データＤＢ１１４は、被験者端末５０２から受信した計測データを被験者ＩＤに対応付けて記憶する。算出ＤＢ１１５は、データ加工処理部１０４にて算出された心拍数、呼吸数等のデータ、および、睡眠深度推定処理部１０５にて算出された睡眠深度データを、被験者ＩＤに対応付けて記憶する。
【００４２】
簡易診断判断基準ＤＢ１１６は、予め準備された簡易診断処理部１０６における簡易診断規則を記憶する。なお、ここに格納されている簡易診断規則の詳細は、追って詳述する。
【００４３】
簡易診断結果ＤＢ１１７は、簡易診断処理部１０６における処理結果（睡眠タイプ）を、被験者ＩＤに対応付けて記憶する。追加質問ＤＢ１１８は、医師端末２００から受信した追加質問を、被験者ＩＤに対応付けて記憶する。
【００４４】
医師診断結果ＤＢ１１９は、医師端末２００から受信した診断結果を被験者ＩＤに対応付けて記憶する。なお、診断結果に追加質問が付されている場合には、追加質問の回答毎に区分して診断結果が記憶される。
【００４５】
かかる医師診断結果ＤＢ１１７の記憶形態の一例を図４に示す。図において、各被験者Ａ、Ｂ、Ｃには、追加質問（Ｑ１、Ｑ２）がＹｅｓ−Ｎｏ形式で付されており、各追加質問に対する被験者の回答がＹｅｓ（○）であるかＮｏ（×）かに応じて個別に診断結果が設定されている。なお、被験者Ｄには、追加質問が付されておらず、診断結果のみが設定されている。
【００４６】
次に、上記簡易診断処理部１０６における簡易診断処理手法について説明する。なお、以下に示す簡易診断処理は、出願人が先に出願した特願２００３−１３７８４５号の処理手法に従うものである。
【００４７】
まず、簡易診断処理部１０６は、睡眠深度推定処理部１０５にて算出した睡眠深度データからｎ分間毎の移動出現比率ｎ−Ｍ．Ａ．Ｒ．（ｓ，ｔ）を、以下の数式に従って算出する。
【００４８】
【数１】
2004344265.tif 000003
【００４９】
ここで、エポックナンバー（ｅｐｏｃｈ  ｎｕｍｂｅｒ）とは、上記ｎ分間をＴ分間毎に区分したときの区分番号のことである。したがって、エポックナンバーｔのタイミングにおける睡眠深度Ｓｔａｇｅ（ｔ）が設定値ｓにあるときＳＳ（ｓ，ｔ）＝Ｔとなり、設定値ｓ以外のときＳＳ（ｓ，ｔ）＝０となる。上記式（１）は、全てのエポックナンバーにおけるＳＳ（ｓ，ｔ）を加算し、この加算値が当該ｎ分間に占める割合から、当該ｎ分間における移動出現比率ｎ−Ｍ．Ａ．Ｒ．（ｓ，ｔ）を算出する。
【００５０】
次に、簡易診断処理部１０６は、算出された移動出現比率データを、簡易診断判断基準ＤＢ１１６に記憶された評価規則に従って処理し、「睡眠のリズム」、「頭の休息」、「体の休息」、「寝つきのよさ」、「目覚めのよさ」の評価要素に対する評価結果を算出する。同時に、簡易診断処理部１０６は、睡眠深度推定処理部１０５にて算出された睡眠深度データを、簡易診断判断基準ＤＢ１１６に記憶された評価規則に従って処理して「中途覚醒」の評価要素に対する評価結果を算出する。
【００５１】
ここで、簡易診断判断基準ＤＢ１１６は、「睡眠のリズム」、「頭の休息」、「体の休息」、「寝つきのよさ」、「目覚めのよさ」および「中途覚醒」の評価要素に対する評価規則を記憶している。また、各評価規則にて参照するための点数テーブルを記憶している。
【００５２】
しかる後、簡易診断判断基準ＤＢ１１６は、上記評価結果から当該被験者の睡眠タイプを生成し、これを簡易診断結果ＤＢ１１７に格納する。すなわち、「睡眠のリズム」、「頭の休息」、「体の休息」、「寝つきのよさ」、「目覚めのよさ」および「中途覚醒」の評価要素に対する評価結果を、被験者の性別、年齢、身長、体重等の個人情報および季節、入床時刻、起床時刻等の環境情報に基づいて補正・正規化して評価要素毎にランクを求め、このランクから、当該被験者の睡眠タイプを分類する。そして、判別した睡眠タイプを、当該被験者のＩＤに対応付けて簡易診断結果ＤＢ１１７に格納する。
【００５３】
図５を参照して、上記簡易診断処理部１０６における具体的処理動作について説明する。
【００５４】
睡眠深度推定処理部１０５によって当該被験者の睡眠深度データが算出されると（Ｓ３０１）、簡易診断処理部１０６は、これを簡易診断判断基準ＤＢ１１６中の「中途覚醒」の評価規則に従って処理して当該評価要素に対する評価点を算出する（Ｓ３０２）。
【００５５】
ここで、「中途覚醒」の評価規則は、全計測期間における睡眠深度＝Ｗ（覚醒）の回数（すなわち一晩の覚醒回数）が０回であるときに１００点とし、睡眠深度＝Ｗ（覚醒）の回数が増加する毎に点数が減少するよう規定されている。
【００５６】
なお、一晩で６回以上の覚醒が起こった場合には不眠である恐れがあるとされていることから、睡眠深度＝Ｗ（覚醒）の回数が６回以上のときの得点を０点とするように規定しても良い。
【００５７】
さらに、睡眠時間を前半部分と後半部分、あるいはさらに細かく区分し、どの時間帯に覚醒が生じたかに応じて点数に重み付けを設定するようにしても良い。たとえば、中途覚醒が起こる人は睡眠の時間経過に伴って覚醒が増える傾向にあることから、睡眠の前半に起こる中途覚醒は不眠の度合が比較的重く、睡眠の後半に起こる中途覚醒は不眠の度合が比較的軽いと判断できる。したがって、覚醒回数が同じときの得点を、前半部分を小さくし、後半に向かうほど大きくようにしても良い。
【００５８】
上記Ｓ３０２において、簡易診断処理部１０６は、まず、睡眠深度データから睡眠深度＝Ｗ（覚醒）の回数を検出する。たとえば、図２０に示す例では、睡眠深度＝Ｗ（覚醒）の回数は２回である。そして、この検出結果を上記評価規則に従って処理して「中途覚醒」に対する評価点を算出する。
【００５９】
次に、簡易診断処理部１０６は、睡眠深度推定処理部１０５によって算出された睡眠深度データから、上記式（１）に従って、睡眠深度の設定値Ｓ≧２（深睡眠：ＳＷＳ）の移動出現比率ｎ−Ｍ．Ａ．Ｒ．を算出する（Ｓ３０３）。図６は、ｎ＝１０分、Ｔ＝０．５分として、図２０の睡眠深度データからＳＷＳの移動出現比率ｎ−Ｍ．Ａ．Ｒ．を算出したときの算出例を示すものである。
【００６０】
しかる後、簡易診断処理部１０６は、算出された移動出現比率データを、簡易診断判断基準ＤＢ１１６中の「睡眠リズム」の評価規則に従って処理して当該評価要素に対する評価点を算出する（Ｓ３０４）。
【００６１】
ここで、「睡眠リズム」の評価規則は、以下のように規定されている。
【００６２】
１．サイクルの設定
ＳＷＳの移動出現比率ｎ−Ｍ．Ａ．Ｒ．が０％から立ち上がり、所定の閾値レベルＳ１（たとえば４０％）を越え、再び０％となった後、次に立ち上がるまでの期間を１サイクルとする。
２．サイクル毎の得点
１サイクル時間が所定の時間レンジＲ１内にあるときに１００点とし、このレンジＲ１から離れるに従って点数を減少させる。たとえば、ノンレム睡眠の開始からこれ引き続くレム睡眠の終了までの周期は９０分から１００分が適当とされていることから（たとえば、１９８４年朝倉書店発行「睡眠の科学」Ｐ３４参照）、９０分≦Ｒ１≦１００分とする。また、この時間レンジＲ１の前後３０分の範囲を段階的に区分して、Ｒ１から離れるに従って各区分の得点が小さくなるように、得点を設定する（時間レンジＲ１の前後３０分を越える場合は０点）。
３．「睡眠リズム」の得点
各サイクルにおける得点を総計したものを、「睡眠リズム」の得点とする。
【００６３】
上記ステップＳ３０４において、簡易診断処理部１０６は、まず、上記ＳＷＳの移動出現比率ｎ−Ｍ．Ａ．Ｒ．から上記サイクルとサイクル時間を検出する。たとえば、図６に示す例では、かかるサイクルは５つである。そして、この検出結果を上記評価規則に従って処理して「睡眠リズム」に対する評価点を算出する。
【００６４】
次に、簡易診断処理部１０６は、上記ＳＷＳの移動出現比率データを簡易診断判断基準ＤＢ１１６中の「頭の休息」の評価規則に従って処理して当該評価要素に対する評価点を算出する（Ｓ３０５）。
【００６５】
ここで、「頭の休息」の評価規則は、ノンレム睡眠が脳の睡眠と位置付けられていることから（たとえば、１９９４年朝倉書店発行「睡眠学ハンドブック」Ｐ３２参照）、以下のように規定されている。
【００６６】
１．サイクルの設定
ＳＷＳの移動出現比率ｎ−Ｍ．Ａ．Ｒ．が０％から立ち上がり、所定の閾値レベルＳ１（たとえば４０％）を越え、再び０％となった後、次に立ち上がるまでの期間を１サイクルとする。
２．サイクル毎の得点
１サイクルの期間内における上記ＳＷＳの移動出現比率ｎ−Ｍ．Ａ．Ｒ．のピークが１００％に達するときに１００点とし、当該ピークが１００％から減少するに従って点数を減少させる。なお、睡眠時間が進行するほど移動出現比率ｎ−Ｍ．Ａ．Ｒ．のピークが１００％に達し難いので、睡眠時間を前半部分と後半部分、あるいはさらに細かく区分し、後半に向かうほど１００点とするピーク値閾値を１００％から次第に下げるようにしても良い。
３．「頭の休息」の得点
各サイクルにおける得点を総計したものを、「頭の休息」の得点とする。
【００６７】
上記ステップＳ３０５において、簡易診断処理部１０６は、まず、上記ＳＷＳの移動出現比率ｎ−Ｍ．Ａ．Ｒ．から上記サイクルと各サイクルにおける移動出現比率ｎ−Ｍ．Ａ．Ｒ．のピークを検出する。たとえば、図６に示す例では、かかるサイクルは５つであり、１番目と２番目および５番目のサイクルにおいてピークが１００％に到達している。そして、この検出結果を上記評価規則に従って処理して「頭の休息」に対する評価点を算出する。
【００６８】
次に、簡易診断処理部１０６は、上記ＳＷＳの移動出現比率データを簡易診断判断基準ＤＢ１１６中の「寝つきのよさ」の評価規則に従って処理して当該評価要素に対する評価点を算出する（Ｓ３０６）。
【００６９】
ここで、「寝つきのよさ」は入床から睡眠に入るまでの時間で評価できることから、当該「寝つきのよさ」の評価規則は、入床から上記ＳＷＳの移動出現比率ｎ−Ｍ．Ａ．Ｒ．が立ち上がるまでの時間により規定されている。たとえば、入床から移動出現比率ｎ−Ｍ．Ａ．Ｒ．が立ち上がるまでの時間が２０分以内であるときを１００点とし、２０分から６０分までを１０分毎に区分して、２０分から離れるに従って点数が減少するように、各区分に得点を設定する（６０分を越える場合は０点）。
【００７０】
上記ステップＳ３０６において、簡易診断処理部１０６は、まず、入床から上記ＳＷＳの移動出現比率ｎ−Ｍ．Ａ．Ｒ．が立ち上がるまでの時間を、上記ＳＷＳの移動出現比率ｎ−Ｍ．Ａ．Ｒ．から検出する。そして、この検出結果を上記評価規則に従って処理して「寝つきのよさ」に対する評価点を算出する。
【００７１】
以上のようにしてＳＷＳの移動出現比率データを用いた評価処理が終了すると、次に、簡易診断処理部１０６は、睡眠深度推定処理部１０５によって算出された睡眠深度データから、上記式（１）に従って、睡眠深度の設定値Ｓ＝Ｒ（レム睡眠：ＲＥＭ）の移動出現比率ｎ−Ｍ．Ａ．Ｒ．を算出する（Ｓ３０７）。図７は、ｎ＝１０分、Ｔ＝０．５分として、図２０の睡眠深度データからＲＥＭの移動出現比率ｎ−Ｍ．Ａ．Ｒ．を算出したときの算出例を示すものである。
【００７２】
しかる後、簡易診断処理部１０６は、格納されたＲＥＭの移動出現比率データを、簡易診断判断基準ＤＢ１１６中の「体の休息」の評価規則に従って処理して当該評価要素に対する評価点を算出する（Ｓ３０８）。
【００７３】
ここで、「体の休息」の評価規則は、レム睡眠が体の睡眠と位置付けられていることから（たとえば、１９９４年朝倉書店発行「睡眠学ハンドブック」Ｐ３２参照）、以下のように規定されている。
【００７４】
１．サイクルの設定
ＲＥＭの移動出現比率ｎ−Ｍ．Ａ．Ｒ．が０％から立ち上がり、所定の閾値レベルＳ１（たとえば４０％）を越え、再び０％となった後、次に立ち上がるまでの期間を１サイクルとする。
２．サイクル毎の得点
１サイクルの期間内における上記ＲＥＭの移動出現比率ｎ−Ｍ．Ａ．Ｒ．のピークが１００％に達するときに１００点とし、当該ピークが１００％から減少するに従って点数を減少させる。なお、睡眠時間が進行するほど移動出現比率ｎ−Ｍ．Ａ．Ｒ．のピークが１００％に達し難いので、睡眠時間を前半部分と後半部分、あるいはさらに細かく区分し、後半に向かうほど１００点とするピーク値閾値を１００％から下げるようにしても良い。
３．「体の休息」の得点
各サイクルにおける得点を総計したものを、「体の休息」の得点とする。
【００７５】
上記ステップＳ３０８において、簡易診断処理部１０６は、まず、上記ＲＥＭの移動出現比率ｎ−Ｍ．Ａ．Ｒ．から上記サイクルと各サイクルにおける移動出現比率ｎ−Ｍ．Ａ．Ｒ．のピークを検出する。たとえば、図７に示す例では、かかるサイクルは４つである。そして、この検出結果を上記評価規則に従って処理して「体の休息」に対する評価点を算出する。
【００７６】
以上のようにして、「中途覚醒」、「睡眠リズム」、「頭の休息」、「寝つきのよさ」、「体の休息」の評価要素に対する評価得点の算出処理が終了すると、次に、簡易診断処理部１０６は、算出された各評価要素の評価得点を補正・正規化し、上記の如く、当該被験者の睡眠タイプを分類する（Ｓ３０９）。睡眠タイプの一例を、図８に示す。
【００７７】
次に、上記睡眠支援システムの動作を、図９〜図１３を参照して説明する。
【００７８】
まず、図９を参照して、計測データの受信から診断終了通知の送信までの動作について説明する。
【００７９】
被験者端末５０２から一晩の計測データがサーバ装置１００に送信されると（Ｓ１０１）、サーバ装置１００の顧客確認処理部１０３は、ユーザ登録ＤＢ１１３を参照して、当該データ送信が登録ユーザ（被験者）からなされたものであるかを判別する（Ｓ１０２）。ここで、登録ユーザからのデータ送信であると判別されると、かかる計測データは、睡眠時生理データＤＢ１１４に格納されると共に（Ｓ１０３）、データ加工処理部１０４に送られる。
【００８０】
データ加工処理部１０４は、受信した計測データを加工処理して心拍数、呼吸数等の加工データを算出する（Ｓ１０４）。かかる加工データは、算出データＤＢ１１５に格納された後（Ｓ１０５）、睡眠深度推定処理部１０５によって読み出される。睡眠深度推定処理部１０５は読み出した加工データを処理して睡眠深度データを算出する（Ｓ１０６）。そして、算出した睡眠深度データを算出データＤＢ１１５に格納する（Ｓ１０７）。
【００８１】
しかる後、簡易診断処理部１０６は、算出データＤＢ１１５から睡眠深度データを読み出し、上記簡易診断処理を実行する（Ｓ１０８）。そして、その処理結果（睡眠タイプ）を、簡易診断結果ＤＢ１１７に格納する（Ｓ１０９）。
【００８２】
しかる後、診断要否判定処理部１０７は、簡易診断結果ＤＢ１１７から当該被験者の簡易診断結果を読み出し、この簡易診断結果（睡眠タイプ）が予め設定された専門的病状の睡眠タイプに該当するかを判別する（Ｓ１１０）。
【００８３】
かかる判別の結果、当該被験者の睡眠タイプが専門的病状の睡眠タイプに該当すると判別されると、医師に対する診断要求の通知文が表示・通知作成処理部１０２によって作成され、これが通信処理部１０１に送られる。かかる通知文を受信した通信処理部１０１は、当該被験者の加工データ、睡眠深度データおよび簡易診断結果を算出データＤＢ１１５および簡易診断結果ＤＢ１１６から読み出し、これを上記通知文に添付して、医師端末２００に送信する（Ｓ１１１）。
【００８４】
かかる診断要求に応じて、医師は、受信した加工データ、睡眠深度データおよび簡易診断結果をもとに、当該被験者の睡眠診断を行う。そして、追加質問が必要な場合には、追加質問とその回答に応じた診断結果が、医師端末２００からサーバ装置１００に送信される（Ｓ１１２）。かかる追加質問と診断結果は、上記の如く、追加質問ＤＢ１１８および医師診断結果ＤＢ１１９に記憶される（Ｓ１１３）。
【００８５】
また、追加質問が不要の場合には、診断結果のみが医師端末２００からサーバ装置１００に送信される（Ｓ１１４）。かかる診断結果は、医師診断結果ＤＢ１１９に記憶される（Ｓ１１５）。
【００８６】
しかして、医師による診断処理が終了すると、診断結果に応じた表示画面が表示・通知作成処理部１０２によって作成され、これが表示・通知作成処理部１０２内のデータベースに格納される（Ｓ１１６）。ここで、作成される表示画面は、追加質問が必要な場合は追加質問用の画面とされ、追加質問が不要の場合は診断結果表示用の画面とされる（画面例は追って示す）。
【００８７】
なお、上記Ｓ１１０にて専門的病状ではないと判別された場合には、医師による診断ステップ（Ｓ１１１〜Ｓ１１５）を経ることなく、直接Ｓ１１６にて診断結果表示用の画面が作成される。この際、かかる表示画面には、医師による診断結果は含まれない。
【００８８】
しかる後、表示・通知作成処理部１０２は、診断終了の通知文を作成し、この通知文と、上記Ｓ１１６にて作成した表示画面のＵＲＬを通信処理部１０１に送る。通信処理部１０１は、受け取った通知文に上記表示画面のＵＲＬを添付して被験者端末１００に送信する（Ｓ１１７）。かかる通知文を受け取った被験者は、通知文に添付されたＵＲＬにアクセスすることによって、自己の睡眠診断結果（あるいは追加質問）を見ることができる。
【００８９】
図１０を参照して、診断結果を見る場合における睡眠支援システムの動作を説明する。
【００９０】
被験者が、たとえば被験者端末５０２を用いて、通知されたＵＲＬにアクセスすると（Ｓ２０１）、サーバ装置１００の顧客確認処理部１０３は、ユーザ登録ＤＢ１１３を参照して、当該アクセスが登録ユーザ（被験者）からなされたものであるかを判別する（Ｓ２０２）。当該アクセスが登録ユーザからのものであると判別されると、次に、追加質問処理部１０８は、当該被験者のユーザＩＤをもとに、当該被験者に対して追加質問が設定されているかを判別する（Ｓ２０３）。
【００９１】
ここで、当該被験者に対し追加質問が設定されていれば、上記ＵＲＬの表示画面（追加質問用）を被験者用端末５０２に送信した後（Ｓ２０４）、当該質問に対する回答が被験者から返信されるのを待つ。図１１に、追加質問用の表示画面例を示す。
【００９２】
かかる追加質問に対する回答が被験者端末５０２から送信されると（Ｓ２０５）、これを受信した通信処理部１０１は、かかる回答を診断結果判断処理部１０９に転送する。診断結果判断処理部１０９は、受け取った回答と医師診断結果ＤＢ１１９に格納されている当該被験者の診断結果（図４参照）とを比較し、当該回答に対応する診断結果を医師診断結果ＤＢ１１９から読み出し（Ｓ２０６）、これを表示・通知作成処理部１０２に送る。同時に、かかる診断結果を、当該被験者のユーザＩＤに対応付けて、医師診断結果ＤＢ１１９に格納する（Ｓ２０７）。
【００９３】
診断結果を受けとった表示・通知作成処理部１０２は、かかる診断結果を組み込んだ診断結果用表示画面を作成し（２０８）、この表示画面を自己のデータベースに格納し、さらに、この表示画面を通信処理部１０１に送る。通信処理部１０１は、かかる表示画面を被験者端末５０２に送信する（Ｓ２０９）。これにより、被験者端末５０２上に当該被験者の診断結果が表示される。
【００９４】
なお、上記Ｓ２０３にて追加質問が設定されていないと判別された場合には、追加質問の回答ステップ（Ｓ２０４〜Ｓ２０８）を経ることなく、直接Ｓ２０９にて診断結果表示用の画面（通知文に付されたＵＲＬの画面）が送信される。
【００９５】
図１２に、診断結果表示用の表示画面の構成例を示す。図示の如く、かかる表示画面には、“睡眠タイプ”と、“医師診断結果”と、“睡眠アドバイス”と、“おすすめ商品”のパートが含まれている。ここで、“睡眠タイプ”には、上記簡易診断処理部１０６による診断結果が表示され、“医師診断結果”には、上記診断結果判断処理部１０９による診断結果（医師による診断結果）が表示される。したがって、医師による診断を受けていない場合（図９のＳ１１０にてＮｏと判別された場合）には、“医師診断結果”のパートは空欄となる。
【００９６】
なお、“睡眠アドバイス”のパートには、当該被験者の睡眠タイプに応じた睡眠アドバイスが表示される。すなわち、上記診断結果表示画面の作成処理ステップ（Ｓ１１６、Ｓ２０９）において、表示・通知作成処理部１０２は、当該被験者の睡眠タイプに対応した睡眠アドバイスを睡眠アドバイスＤＢ１１２から読み出し、これを診断結果表示用の表示画面に組み込む。
【００９７】
なお、図１２の表示画面には、“おすすめ商品”のパートに「薬品・サプリメント」のアイコンが組み込まれており、このアイコンをクリックすると、当該被験者の睡眠タイプに対応した薬品・サプリメントのラインナップが表示される。同様に、“おすすめ商品”のパートに組み込まれた「快眠機器」のアイコンをクリックすると、当該被験者の睡眠タイプに対応した快眠機器のラインナップが表示される。
【００９８】
かかる表示画面は、表示・通知作成処理部１０２が、当該被験者の睡眠タイプに対応する「薬品・サプリメント」または「快眠機器」のラインアップ情報を、大衆薬サプリメントＤＢ１１１または快眠支援機器ＤＢ１１０から読み出すことにより作成される。
【００９９】
図１３に、「薬品・サプリメント」のアイコンがクリックされたときの表示例を示す。かかる表示画面において、「詳細」のアイコンがクリックされると、当該薬品・サプリメントの効能、製造元等の詳細情報が表示される。また、「購入」のアイコンがクリックされた後「購入手続」のアイコンがクリックされると、選択された薬品・サプリメントの発注処理が行われる。
【０１００】
しかして、購入要求が被験者端末５０２から送信されると（Ｓ２１０）、表示・通知作成処理部１０２は、購入要求された「薬品・サプリメント」および「快眠機器」の発注書をユーザ毎（薬局、メーカ）に作成し、これを通信処理部１０１に送る。通信処理部１０１は、ユーザ登録ＤＢ１１３から発注先ユーザのアドレスを読み出し、このアドレスに向かって、受け取った発注書を送信する（Ｓ２１１）。これにより、発注書が対応ユーザに受け渡され、当該被験者と商品提供者（薬局、メーカ）との間に商品購入の契約が成立する。
【０１０１】
以上、本実施の形態によれば、比較的信頼性の高い睡眠診断を手軽に受けることができ、もって、睡眠診断を受ける際の被験者の利便性を向上させることができる。また、被験者に専門的病状の疑いがあるときには、医師による専門的な診断を重ねて受けることができるので、誤った診断結果を提供することによる被験者の病状の悪化を回避することができる。
【０１０２】
また、診断結果の表示画面には、睡眠タイプと共に、診断結果に応じた睡眠アドバイスが表示されるので、被験者は、かかる診断結果から自己の睡眠の問題点や対処方法を把握することができ、これにより、睡眠改善に向けた生活パターンの実践が可能となる。
【０１０３】
さらに、睡眠タイプに応じた「薬品・サプリメント」または「快眠機器」を診断結果の表示画面から簡易に購入できるので、購入時に置ける被験者の利便性を向上させることができ、また、薬局・機器メーカにとっては、当該商品のビジネスシーンを拡張できる。
【０１０４】
なお、上記実施の形態では、被験者の睡眠タイプが専門的病状に該当する場合に、医師端末２００を介して医師による診断を受けるようにしたが、かかる場合に、被験者に医師を紹介し、医師による直接の診断を受け得るようにすることもできる。
【０１０５】
図１４にかかる場合におけるサーバ装置１００の機能ブロック図を示す。なお、上記図２の機能ブロック図と同一部分には同一符号を付し、説明を省略する。
【０１０６】
図において、専門病状判定処理部１２１は、簡易診断処理部１０６における処理結果（睡眠タイプ）が予め設定された睡眠タイプに該当するかを判別し、当該睡眠タイプに該当する場合に、当該睡眠タイプに対応する追加質問を追加質問ＤＢ１２２から読み出して、これを表示・通知作成処理部１２０に送る。
【０１０７】
追加質問ＤＢ１２２は、専門病状の疑いがあるとされる睡眠パターンと、各睡眠パターンにおいて診断時に必要とされる追加質問とが、互いに対応付けて記憶されている。
【０１０８】
表示・通知作成処理部１２０は、専門病状判定処理部１２１から追加質問を受け取ったとき、これを組み込んだ表示画面を生成する。
【０１０９】
以下、図１５〜図１９を参照して、当該サーバ装置１００を利用した睡眠支援システムの動作について説明する。
【０１１０】
図１５は、被験者より計測データを受け取ってから被験者に診断済みを通知するまでの動作を示すものである。なお、上記図９におけるステップと同一ステップには同一符号を付し、説明を省略する。
【０１１１】
Ｓ１０１〜Ｓ１０９の処理により簡易診断処理が終了すると、次に、専門病状判定処理部１２１において、当該被験者の睡眠タイプが専門病状の睡眠タイプに該当するかが判別される（Ｓ１２１）。ここで、専門病状に該当すると判別されると、追加質問フラグがセットされ（Ｓ１２２）、表示・通知作成処理部１２０により、追加質問用の表示画面と診断結果表示用の表示画面が作成される（Ｓ１２３）。他方、専門病状に該当しないと判別されると、診断結果表示用の表示画面のみが作成される。
【０１１２】
なお、本実施の形態では、医師端末２００から医師の診断結果を受信しないので、Ｓ１２３で作成される診断結果表示用の表示画面には、医師による診断結果は組み込まれない。すなわち、診断結果の表示画面は、上記図１２の表示画面から“医師診断結果”のパートを省略したものとなる。
【０１１３】
このようにして表示画面が作成された後、上記と同様、診断済みの通知文が作成され、これに表示画面のＵＲＬが付加されて、当該被験者の被験者端末５０２に送信される（Ｓ１２４）。なお、上記Ｓ１２３にて追加質問用と診断結果表示用の２つの表示画面が作成された場合には（Ｓ１２１にてＹＥＳとされたとき）、通知文に付加されるＵＲＬは、追加質問用の表示画面のＵＲＬとされる。
【０１１４】
図１６に、被験者が診断結果を見るときの動作フローチャートを示す。なお、上記図１０におけるステップと同一ステップには同一符号を付し、説明を省略する。
【０１１５】
Ｓ２０１〜Ｓ２０２にてユーザ認証がなされた後、追加質問が設定されているかが判別される（Ｓ２０３）。ここで、追加質問が設定されていなければ（質問フラグＯＦＦ）、当該ＵＲＬに応じた表示画面（診断結果表示用）が被験者端末５０２に送信され、診断結果が被験者の閲覧に供される。他方、追加質問が設定されていれば（質問フラグＯＮ）、図１７のＳ２２１に進み、医師紹介処理が実行される。
【０１１６】
かかる医師紹介処理においては、Ｓ２２１にて、当該ＵＲＬに応じた表示画面（追加質問用）が被験者端末５０２に送信される（Ｓ２２１）。かかる表示画面（追加質問用）の表示例を図１８に示す。被験者が医師の紹介を希望する場合、かかる表示画面に回答を入力し、「次へ」のアイコンをクリックする。これにより、たとえば図１９に示す医師リストが表示される。
【０１１７】
かかる表示画面において、「詳細」のアイコンをクリックすると、当該医師の専門分野、医院名、電話番号等の詳細情報が表示される。また、「希望」のアイコンをクリックした後「医師紹介手続」のアイコンをクリックすると、選択された医師に対する紹介処理が行われる。
【０１１８】
しかして、医師紹介要求が被験者端末５０２から送信されると（Ｓ２２２）、表示・通知作成処理部１０２は、紹介要求された医師に対する紹介状を作成し、これを通信処理部１０１に送る（Ｓ２２３）。通信処理部１０１は、当該被験者の加工データ、睡眠深度データおよび簡易診断結果を各データベースから読み出す（Ｓ２２４）。さらに、ユーザ登録ＤＢ１１３から紹介先医師の医師端末アドレスを読み出し、このアドレスに向かって、Ｓ２２４にて読み出したデータとＳ２２３にて受け取った紹介状を送信する（Ｓ２２５）。これにより、紹介状と睡眠に関するデータが紹介先医師に受け渡され、当該被験者に対する直接の診断が円滑に行われるようになる。
【０１１９】
なお、医師による診断を希望しない場合、被験者は、図１８の表示画面にて「終了」のアイコンをクリックする。これにより、医師による診断を希望しない旨の通知が被験者端末５０２からサーバ装置１００に送信される。
【０１２０】
しかして、医師紹介処理が終了すると、図１６のＳ２２０に進み、表示画面の送信処理が実行される。この際、当該被験者の診断結果を表示するための表示画面（図１５のＳ２２３にて作成）が、被験者端末５０２に送信される。
【０１２１】
以上、本実施の形態によれば、専門的病状に該当する場合、医師による直接の診断を円滑に受けることができるから、被験者の通院が必要となるものの、先の実施の形態に比べてより細やかな睡眠診断を受けることができるようになる。
【０１２２】
なお、本発明は、上記実施の形態に限定されるものではなく、これ以外の変更も適宜可能なものである。
【０１２３】
たとえば、上記診断要否判定処理部１０７および専門病状判定処理部１２１における判定処理は、簡易診断処理部１０６における診断結果（睡眠パターン）に基づいて行うものであったが、これ以外に、または、これに加えて、睡眠深度推定処理部１０５における睡眠深度データやデータ加工処理部１０４における加工データ、さらには被験者端末５０２からの計測データに基づいて、当該判定処理を行うようにしても良い。
【０１２４】
また、被験者に提供される診断結果の画面は、図１２に示すものに限定されるものではなく、たとえば、医師による診断を受けたときは簡易診断結果（睡眠タイプ）を表示画面に組み込まず、医師による診断結果のみを組み込むようにしても良い。
【０１２５】
また、上記実施の形態では、データ加工処理部１０４をサーバ装置１００側に配するようにしたが、この機能を被験者端末５０２または計測装置５０１に側に移行し、加工処理後のデータ（心拍数、呼吸数、体動等のデータ）を被験者端末５０２からサーバ装置１００に送信するようにしてもよい。さらに、睡眠深度推定処理部１０５の機能を被験者端末５０２または計測装置５０１に側に移行し、推定処理後のデータ（睡眠深度データ）を被験者側からサーバ装置１００に送信するようにしてもよい。
【０１２６】
また、上記サーバ装置１００における各処理部およびデータベースの機能を実行するためのプログラムを被験者端末５０２（ホームサーバ等）にダウンロードすることにより、上記睡眠診断を被験者宅内で受けることができるようになる。かかるプログラムは、たとえば当該プログラムを格納した記憶媒体（光ディスク等）を被験者端末５０２に装着することにより、あるいは配信サーバからインターネットを介して当該プログラムを受信することにより、被験者端末５０２の主記憶装置（ハードディスク等）にインストールされる。
【０１２７】
この他、本発明の実施の形態は、本発明の技術的思想の範囲内において、適宜、種々の変更が可能である。
【０１２８】
【発明の効果】
以上、本発明によれば、睡眠診断を簡易・迅速に受けることができ、且つ、被験者の睡眠状態に専門的病状の疑いがある場合には、専門的医師による細やかな診断を適切に受け得る睡眠診断システムを提供することができる。加えて、睡眠診断の結果に応じた睡眠支援（睡眠アドバイスや睡眠支援機器、睡眠支援薬品）に関する情報を被験者に提供するものであるから、被験者の睡眠状態の改善を円滑に促すことができる。さらに、睡眠支援商品に関する情報を被験者に提供することにより、当該商品の購買を促し、これにより当該商品のビジネスシーンの拡張を図ることができる。
【図面の簡単な説明】
【図１】実施の形態に係る睡眠支援システムの構成を示す図
【図２】実施の形態に係るサーバ装置の機能ブロックを示す図
【図３】データベースにおけるデータの記憶状態を示す図
【図４】データベースにおけるデータの記憶状態を示す図
【図５】簡易睡眠診断処理の流れを示すフローチャート
【図６】簡易診断処理におけるＳＷＳの移動出現比率の算出例を示す図
【図７】簡易診断処理におけるＲＥＭの移動出現比率の算出例を示す図
【図８】簡易診断処理における睡眠パターンの一例を示す図
【図９】実施の形態に係る睡眠支援システムの動作フローチャート
【図１０】実施の形態に係る睡眠支援システムの動作フローチャート
【図１１】表示画面（追加質問）の一例を示す図
【図１２】表示画面（診断結果）の一例を示す図
【図１３】表示画面（睡眠支援薬品のラインナップ）の一例を示す図
【図１４】他の実施の形態に係るサーバ装置の機能ブロックを示す図
【図１５】他の実施の形態に係る睡眠支援システムの動作フローチャート
【図１６】他の実施の形態に係る睡眠支援システムの動作フローチャート
【図１７】他の実施の形態に係る睡眠支援システムの動作フローチャート
【図１８】表示画面（追加質問）の一例を示す図
【図１９】表示画面（医師リスト）の一例を示す図
【図２０】睡眠深度データの一例を示す図
【符号の説明】
１０１  通信処理部
１０２  表示・通知作成処理部
１０４  データ加工処理部
１０５  睡眠深度推定処理部
１０６  簡易診断処理部
１０７  診断要否判定処理部
１０８  追加質問処理部
１０９  診断結果判断処理部
１１０  快眠支援機器ＤＢ
１１１  大衆薬・サプリメントＤＢ
１１２  睡眠アドバイスＤＢ
１１４  睡眠時生理データＤＢ
１１５  算出データＤＢ
１１６  簡易診断判断基準ＤＢ
１１７  簡易診断結果ＤＢ
１１８  追加質問ＤＢ
１１９  医師診断結果ＤＢ
１２０  表示・通知作成処理部
１２１  専門病状判定処理部
１２２  追加質問ＤＢ
【図１】
2004344265.tif 000004
【図２】
2004344265.tif 000005
【図３】
2004344265.tif 000006
【図４】
2004344265.tif 000007
【図５】
2004344265.tif 000008
【図６】
2004344265.tif 000009
【図７】
2004344265.tif 000010
【図８】
2004344265.tif 000011
【図９】
2004344265.tif 000012
【図１０】
2004344265.tif 000013
【図１１】
2004344265.tif 000014
【図１２】
2004344265.tif 000015
【図１３】
2004344265.tif 000016
【図１４】
2004344265.tif 000017
【図１５】
2004344265.tif 000018
【図１６】
2004344265.tif 000019
【図１７】
2004344265.tif 000020
【図１８】
2004344265.tif 000021
【図１９】
2004344265.tif 000022
【図２０】
2004344265.tif 000023